(57)【要約】      （修正有）【課題】エンジンの放射音などの音が外へ漏れ出にくくする。【解決手段】カプセル装置は、パワーユニットを有する自動車についての少なくともエンジン本体１１の周囲を囲う被覆ケース部材３１と、被覆ケース部材３１の内外を開閉可能に連通する開閉機構と、を有する。被覆ケース部材３１は、少なくとも、開閉機構が取り付けられる前カバー部４１と、前カバー部４１以外の箱カバー部４４とに分割して構成される。箱カバー部４４は、エンジン本体１１とともに自動車の骨格部材または構造部材に取り付けられる。前カバー部４１は、エンジン本体１１とは別の位置で自動車の骨格部材または構造部材に取り付けられ、箱カバー部４４と別に自動車により支持される。【選択図】図３
2019064342.tif 000002
【特許請求の範囲】
【請求項１】
車両の房室に設けられて混合気をエンジン本体で燃焼させるパワーユニットを有する車両についての、少なくとも前記エンジン本体の周囲を囲うカプセル構造と、
前記カプセル構造に設けられ、前記カプセル構造の内外を開閉可能に連通する開閉機構と、
を有し、
前記カプセル構造は、少なくとも、前記開閉機構が取り付けられる前カバー部と、前記前カバー部以外の箱カバー部とに分割して構成され、
前記箱カバー部は、前記エンジン本体とともに前記車両の骨格部材または構造部材に取り付けられ、
前記前カバー部は、前記エンジン本体とは別の位置で前記車両の骨格部材または構造部材に取り付けられ、前記箱カバー部と別に前記車両により支持される、
車両のパワーユニットのカプセル装置。
【請求項２】
前記前カバー部は、略直方体形状の被覆ケース部材による前記カプセル構造についての前面部分であり、
前記箱カバー部は、前記エンジン本体、前記エンジン本体を前記車体に取り付けるマウント部材、前記車両において前記エンジン本体の下側に位置する骨格部材または構造部材に取り付けて支持され、
前記前カバー部は、前記車両において前記エンジン本体の前側に位置する骨格部材または構造部材に取り付けて支持される、
請求項１記載の車両のパワーユニットのカプセル装置。
【請求項３】
前記開閉機構が取り付けられて略直方体形状の前記被覆ケース部材の前面部分に対応する前記前カバー部は、周縁に沿って全周に形成されるリブ部、を有し、
前記リブ部は、前面が開口した略直方体形状の前記箱カバー部の前縁と近接し、
略直方体形状の前記被覆ケース部材についての前記前面部分以外の部分に、前記前カバー部と前記箱カバー部との合わせ部分を形成する、
請求項２記載の車両のパワーユニットのカプセル装置。
【請求項４】
前記車両により別々に支持されている前記前カバー部と前記箱カバー部との合わせ部分は、互いに離間し、相対的な動きを許容するように隙間を塞ぐシール構造、吸音構造、または断熱構造が設けられる、
請求項１から３のいずれか一項記載の車両のパワーユニットのカプセル装置。
【請求項５】
前記前カバー部と前記箱カバー部との合わせ部分には、圧縮された弾性部材、隙間より長い可撓材、またはジャバラ構造を有するシール部材が設けられる、
請求項１から４のいずれか一項記載の車両のパワーユニットのカプセル装置。
【請求項６】
前記前カバー部と前記箱カバー部との合わせ部分の端末には、隙間が変動しても互いに接触し難いラビリンス構造に形成される、
請求項１から５のいずれか一項記載の車両のパワーユニットのカプセル装置。
【請求項７】
前記カプセル構造は、前記車両の骨格部材または構造部材より内側に位置するように設けられる、
請求項１から６のいずれか一項記載の車両のパワーユニットのカプセル装置。
【請求項８】
前記カプセル構造は、前記車両において、少なくとも前記エンジン本体を含む、オイルにより潤滑される機器を囲う、
請求項１から７のいずれか一項記載の車両のパワーユニットのカプセル装置。
【請求項９】
前記カプセル構造は、前記車両に設けられる前記エンジン本体、エンジン補器、トランスミッション、およびハイブリッド機器の中の、少なくとも前記エンジン本体を囲う、
請求項１から８のいずれか一項記載の車両のパワーユニットのカプセル装置。
【発明の詳細な説明】
【技術分野】
【０００１】
本発明は、自動車といった車両のエンジン本体といったパワーユニットを囲うカプセル装置に関する。
【背景技術】
【０００２】
自動車では、近年、パワーユニットとしてバッテリおよびモータを使用する電気自動車の開発が進められている。しかしながら、電気自動車の本格的な実用化には今後の開発に委ねられている状況にある。
このため、現在および少なくとも近い未来においては、ハイブリッド自動車を含めて、混合気をエンジン本体で燃焼させる内燃機関の利用がなくなるとは考えにくい。
【先行技術文献】
【特許文献】
【０００３】
【特許文献１】特開２０１３−１１９３８４号公報
【発明の概要】
【発明が解決しようとする課題】
【０００４】
ところで、特許文献１では、エンジン本体をカプセル構造で覆っている。これにより、エンジン本体の動作音が外へ漏れ出にくくなる。
しかしながら、特許文献１では、車両走行中には、カプセル構造の前面流入口を開放状態に制御している。エンジン本体の音は、解放された前面流入口から、車両の前へ出力されてしまう。
このため、カプセル構造に設ける前面流入口などの開口部として、開閉可能な開閉機構を設けることが考えられる。
しかしながら、このような開閉機構は、通常はカプセル構造に取り付けられるものであり、エンジン本体の振動がカプセル構造を通じて伝達されることにより、開閉機構が振動し、開閉機構自体から音が発せられてしまう可能性がある。
【０００５】
このように自動車といった車両では、車両の外へ音が出力され難くすることが求められている。
【課題を解決するための手段】
【０００６】
本発明に係る車両のパワーユニットのカプセル装置は、車両の房室に設けられて混合気をエンジン本体で燃焼させるパワーユニットを有する車両についての、少なくとも前記エンジン本体の周囲を囲うカプセル構造と、前記カプセル構造に設けられ、前記カプセル構造の内外を開閉可能に連通する開閉機構と、を有し、前記カプセル構造は、少なくとも、前記開閉機構が取り付けられる前カバー部と、前記前カバー部以外の箱カバー部とに分割して構成され、前記箱カバー部は、前記エンジン本体とともに前記車両の骨格部材または構造部材に取り付けられ、前記前カバー部は、前記エンジン本体とは別の位置で前記車両の骨格部材または構造部材に取り付けられ、前記箱カバー部と別に前記車両により支持される。
【０００７】
好適には、前記前カバー部は、略直方体形状の被覆ケース部材による前記カプセル構造についての前面部分であり、前記箱カバー部は、前記エンジン本体、前記エンジン本体を前記車体に取り付けるマウント部材、前記車両において前記エンジン本体の下側に位置する骨格部材または構造部材に取り付けて支持され、前記前カバー部は、前記車両において前記エンジン本体の前側に位置する骨格部材または構造部材に取り付けて支持される、とよい。
【０００８】
好適には、前記開閉機構が取り付けられて略直方体形状の前記被覆ケース部材の前面部分に対応する前記前カバー部は、周縁に沿って全周に形成されるリブ部、を有し、前記リブ部は、前面が開口した略直方体形状の前記箱カバー部の前縁と近接し、略直方体形状の前記被覆ケース部材についての前記前面部分以外の部分に、前記前カバー部と前記箱カバー部との合わせ部分を形成する、とよい。
【０００９】
好適には、前記車両により別々に支持されている前記前カバー部と前記箱カバー部との合わせ部分は、互いに離間し、相対的な動きを許容するように隙間を塞ぐシール構造、吸音構造、または断熱構造が設けられる、とよい。
【００１０】
好適には、前記前カバー部と前記箱カバー部との合わせ部分には、圧縮された弾性部材、隙間より長い可撓材、またはジャバラ構造を有するシール部材が設けられる、とよい。
【００１１】
好適には、前記前カバー部と前記箱カバー部との合わせ部分の端末には、隙間が変動しても互いに接触し難いラビリンス構造に形成される、とよい。
【００１２】
好適には、前記カプセル構造は、前記車両の骨格部材または構造部材より内側に位置するように設けられる、とよい。
【００１３】
好適には、前記カプセル構造は、前記車両において、少なくとも前記エンジン本体を含む、オイルにより潤滑される機器を囲う、とよい。
【００１４】
好適には、前記カプセル構造は、前記車両に設けられる前記エンジン本体、エンジン補器、トランスミッション、およびハイブリッド機器の中の、少なくとも前記エンジン本体を囲う、とよい。
【発明の効果】
【００１５】
本発明では、車両の房室に設けられて混合気をエンジン本体で燃焼させるパワーユニットを有する車両についての、少なくともエンジン本体の周囲を、カプセル構造により囲う。よって、カプセル構造の内側のエンジン本体などからの音が、直接的に車両の外へ漏れださないようにできる。また、エンジン本体などを保温することができる。
しかも、カプセル構造に設けられた開閉機構を開いて、カプセル構造の内外を連通することにより、エンジン本体などの熱を外気で冷やすことができる。
また、カプセル構造は、少なくとも、開閉機構が取り付けられる前カバー部と、前カバー部以外の箱カバー部とに分割して構成される。箱カバー部は、エンジン本体とともに車両の骨格部材または構造部材に取り付けられる。前カバー部は、エンジン本体とは別の位置で車両の骨格部材または構造部材に取り付けられる。このように開閉機構が取り付けられる前カバー部を、箱カバー部と分離して別に車両に取り付けて支持させることにより、エンジン本体などの振動がカプセル構造を通じて直接的に開閉機構へ伝わらないようにできる。開閉可能な開閉機構が振動により音を発することが起き難くなる。
このように本発明では、カプセル構造に収容されるエンジン本体などの音が外へ漏れ出にくくし、しかも、カプセル装置自体から音を発しないようにできる。その結果、車両の外へ音が出力され難くなる。また、振動が作用し難くなるため、開閉機構の耐久性も改善され得る。
【図面の簡単な説明】
【００１６】
【図１】図１は、本発明の実施形態に係る自動車の説明図である。
【図２】図２は、図１の自動車に設けられるパワーユニットおよびカプセル装置の説明図である。
【図３】図３は、図２のカプセル装置の詳細な構成の説明図である。
【図４】図４は、図３の被覆ケース部材の前カバー部と箱カバー部との合わせ部分の構造の説明図である。
【図５】図５は、図２のパワーユニットおよびカプセル装置の変形例の説明図である。
【発明を実施するための形態】
【００１７】
以下、本発明の実施形態を、図面に基づいて説明する。
【００１８】
図１は、本発明の実施形態に係る自動車１の説明図である。
自動車１は、車両の一例である。図１（Ａ）は、模式的な自動車１の側面透視図である。図１（Ｂ）は、模式的な自動車１の前面透視図である。
【００１９】
図１の自動車１は、車体２を有する。車体２の前部には、前室３が設けられる。前室３には、自動車１の骨格部材としての一対のフロントビーム５が延在する。また、前室３と乗員室４との間には、それらの隔壁（構造部材）としてのトーボード６が設けられる。
前室３には、エンジン本体１１、トランスミッション１２などのパワーユニットが配置される前室３が設けられる。また、車体２の床下には、前室３から車体２の後側へ向かってプロペラシャフト１３が設置される。プロペラシャフト１３の後端には、後側の車軸や車輪１５と連結されるリアディファレンシャルギアボックス１４が設けられる。
エンジン本体１１は、エアクリーナ１６および吸気管１７を通じて吸気される外気とガソリンとの混合気を燃焼室において点火燃焼させ、燃焼した混合気の膨張圧力によりピストンをシリンダ内で降下させ、ピストンに連結された出力軸を回転させる。また、燃焼した混合気は、開いた排気弁および排気管１８を通じて外へ排気される。
エンジン本体１１で発生させた出力軸の回転駆動力は、トランスミッション１２で減速され、プロペラシャフト１３、リアディファレンシャルギアボックス１４、およびリアアクスルシャフトを通じて後側の車輪１５へ伝達される。また、回転駆動力の一部は、トランスミッション１２で分岐され、図示外のフロントアクスルシャフトを通じて前側の車輪１５へ伝達される。
【００２０】
ところで、自動車１では、近年、パワーユニットとしてバッテリおよびモータを使用する電気自動車の開発が進められおり、これと内燃機関とを比較した場合、内燃機関から発生される動作音などが歩行者などにより大きいと感じるようになってきている。
特に、内燃機関では、エンジン本体１１などにおいて動作音が発生する。
このように自動車１では、外へ音が出力され難くすることが求められている。
【００２１】
図２は、図１の自動車１に設けられるパワーユニットおよびカプセル装置３０の説明図である。
【００２２】
図２には、自動車１に設けられるパワーユニットとして、エンジン本体１１、オイルパン１９、ラジエタ２０、エアクリーナ１６、吸気管１７、排気管１８、ターボ機器２１、触媒機器２２、トランスミッション１２、プロペラシャフト１３、リアディファレンシャルギアボックス１４、が図示されている。
オイルパン１９は、エンジン本体１１の下部に、エンジン本体１１と一体的に形成されている。エンジン本体１１およびトランスミッション１２は、オイルにより潤滑される機器である。
ラジエタ２０、エアクリーナ１６、吸気管１７、排気管１８、ターボ機器２１、触媒機器２２は、エンジン本体１１とともに用いられるエンジン補器である。エンジン補器には、特に図示をしないがこの他にもたとえば、発電機、バッテリ、ディストリビュータ、インジェクタ、燃料タンク、ポンプ、などがある。これらのエンジン補器は、エンジン本体１１の作動を助け、エンジン本体１１の状態および燃焼状態を燃焼に適した範囲内とするために、エンジン本体１１とともに用いられるものである。
【００２３】
図２には、さらにエンジン本体１１といったパワーユニットを囲うカプセル装置３０が図示されている。
カプセル装置３０は、被覆ケース部材３１、上開閉機構３２、下開閉機構３５、制御部３９、を有する。
図３は、図２のカプセル装置３０の詳細な構成の説明図である。
【００２４】
被覆ケース部材３１は、略立方体の箱形状を有し、パワーユニットについてのオイルパン１９が一体化されたエンジン本体１１およびトランスミッション１２を囲う。被覆ケース部材３１は、たとえば断熱材で形成される。被覆ケース部材３１は、エンジン本体１１およびトランスミッション１２より一回り大きいサイズの箱型に形成される。被覆ケース部材３１から外へ突出するプロペラシャフト１３、吸気管１７、排気管１８の周囲には、被覆ケース部材３１の密閉性を確保するために、たとえばゴム材や樹脂材で形成された図示外のブーツが設けられる。
これにより、被覆ケース部材３１は、エンジン本体１１およびトランスミッション１２との間に空気層を確保しつつ、これらの周囲を密閉するように囲う。エンジン本体１１に設けられるインジェクタ、オイルパン１９も、被覆ケース部材３１に囲われる。
また、排気管１８の略全体、吸気管１７の略全体、ターボ機器２１は、被覆ケース部材３１に収められる。その一方で、触媒機器２２、エアクリーナ１６は、被覆ケース部材３１の外に設けられる。
なお、発電機、バッテリ、ディストリビュータ、燃料タンク、ポンプなどのエンジン補器は、被覆ケース部材３１の内側に設けられても、外側に設けられてもよい。
そして、被覆ケース部材３１は、図１に示すように前室３において、エンジン本体１１と重ねて、エンジン本体１１と同じ位置で、車体２の一対のフロントビーム５の上に取り付けて支持される。被覆ケース部材３１は、図１（Ｂ）に示すように一対のフロントビーム５から下へ突出することがないように設けられる。車体２の最低地上高は、被覆ケース部材３１が無い場合と同じになる。
【００２５】
また、密閉可能な略箱形状の被覆ケース部材３１は、その前部を構成する前カバー部４１と、残部を構成する箱カバー部４４と、を有する。
【００２６】
箱カバー部４４は、被覆ケース部材３１の上面、下面、左右両側面、および後面に対応する箱形状に形成される。
そして、箱カバー部４４は、エンジン本体１１と重ねて、エンジン本体１１と同じ位置で、前記自動車１のフロントビーム５に取り付けられる。
なお、箱カバー部４４は、エンジン本体１１そのものに取り付けられても、エンジン本体１１の下側に取り付けられるクロスメンバに取り付けられても、エンジン本体１１をフロントビーム５などに取り付けるマウント部材に取り付けられてもよい。
【００２７】
前カバー部４１は、被覆ケース部材３１の前面に対応する前面部４２と、前面部４２の周縁に沿って全周に形成されるリブ部４３、を有する。
そして、前カバー部４１は、フロントビーム５の前端に取り付けられるラジエタフレーム２５に取り付けられる。前カバー部４１は、エンジン本体１１の取付部位から離れた別の位置で、自動車１の別の骨格部材に取り付けられ、箱カバー部４４と別に離間した状態で自動車１により支持される。
また、図３に示すように、前カバー部４１のリブ部４３は、その全周において箱カバー部４４の前端縁と重なる。
図１に示すように、被覆ケース部材３１は、車体２の一対のフロントビーム５から下へ突出しないように内側に収めて設けられる。
【００２８】
上開閉機構３２、および下開閉機構３５は、前カバー部４１に設けられ、外気を被覆ケース部材３１の内側へ取り込むために開閉可能に設けられる。
上開閉機構３２は、上開口部３３と、上開閉部材３４と、を有する。上開閉機構３２は、車体２の前面のフロントグリル２８と同じ高さ位置において、前カバー部４１に取り付けて一体的に設けられる。上開閉部材３４が可動することにより上開口部３３が開き、被覆ケース部材３１の内外が連通する。
下開閉機構３５は、下開口部３６と、下開閉部材３７と、を有する。下開閉機構３５は、車体２の前面のバンパの開口部２９と同じ高さ位置において、前カバー部４１に取り付けて一体的に設けられる。下開閉部材３７が可動することにより下開口部３６が開き、被覆ケース部材３１の内外が連通する。
【００２９】
制御部３９には、上開閉部材３４、下開閉部材３７が接続される。制御部３９は、自動車１の状態に応じて、上開閉部材３４および下開閉部材３７の開閉を制御する。
制御部３９は、たとえばマイクロコンピュータにより実現できる。専用回路として被覆ケース部材３１に取り付けて設けられても、自動車１を制御するＥＣＵ（Ｅｎｇｉｎｅ  Ｃｏｎｔｒｏｌ  Ｕｎｉｔ）の機能として設けられてもよい。
たとえば、エンジン本体１１が停止している場合、制御部３９は、上開閉部材３４および下開閉部材３７を閉じる。これにより、被覆ケース部材３１は密閉され、エンジン本体１１などは保温される。
この他にもたとえば、エンジン本体１１の暖気が終わると、制御部３９は、下開閉部材３７を閉じたまま上開閉部材３４を開く。これにより、被覆ケース部材３１の内部へ外気を取り込み、エンジン本体１１などを冷却できる。
また、登坂やトーイングなどによりエンジン本体１１の負荷が上昇すると、制御部３９は、負荷が上昇している期間において上開閉部材３４を閉じて下開閉部材３７を開く。これにより、エンジン本体１１の下側に配置される排気管１８やオイルパン１９を直接的に冷却することができる。
【００３０】
図４は、図３の被覆ケース部材３１の前カバー部４１と箱カバー部４４との合わせ部分の構造の説明図である。
【００３１】
図４（Ａ）では、前カバー部４１のリブ部４３と、箱カバー部４４の前縁部とは、端末がともに屈曲されて重ねられている。これにより、前カバー部４１のリブ部４３と箱カバー部４４の前縁部との合わせ部分に、ラビリンス構造が形成される。
また、リブ部４３と前縁部とは、エンジン本体１１などの振動により箱カバー部４４が振動したとしてもリブ部４３が接触し難い微小間隔をあけている。
【００３２】
図４（Ｂ）では、前カバー部４１のリブ部４３と、箱カバー部４４の前縁部とは、端末がともに屈曲されて重ねられている。これにより、前カバー部４１のリブ部４３と箱カバー部４４の前縁部との合わせ部分に、ラビリンス構造が形成される。
リブ部４３と前縁部と箱カバー部４４の前縁部との間には、弾性部材５１が圧縮された状態で挟まれている。弾性部材５１は、たとえばゴム材、ウレタンなどの樹脂材、不織布などにより形成されている。リブ部４３と前縁部との合わせ部分は、全周にわたって形成されているので、弾性部材５１はたとえばリング形状に形成されていてよい。
【００３３】
図４（Ｃ）では、前カバー部４１のリブ部４３と、箱カバー部４４の前縁部とは、端末がともに屈曲されて重ねられている。これにより、前カバー部４１のリブ部４３と箱カバー部４４の前縁部との合わせ部分に、ラビリンス構造が形成される。
前カバー部４１のリブ部４３と箱カバー部４４との間には、これらの隙間より前後方向へ長い可撓材５２が貼り渡されている。可撓材５２は、ビニールなどの樹脂材または不織布などで形成されてよい。可撓材５２は、たとえばリング形状に形成されていてよい。
【００３４】
図４（Ｄ）では、前カバー部４１のリブ部４３と、箱カバー部４４の前縁部とは、端末がともに屈曲されて重ねられている。これにより、前カバー部４１のリブ部４３と箱カバー部４４の前縁部との合わせ部分に、ラビリンス構造が形成される。
前カバー部４１のリブ部４３と箱カバー部４４との間には、蛇腹状に折り曲げられたシール部材５３が貼り渡されている。シール部材５３は、ビニールなどの樹脂材または不織布などで形成されてよい。シール部材５３は、たとえばリング形状に形成されていてよい。
【００３５】
これらの構成では、被覆ケース部材３１の前カバー部４１と箱カバー部４４との合わせ部分は、互いに離間し、相対的な動きを許容するように隙間を塞いでいる。よって、これらの接触音が発生し難い。
また、リブ部４３と箱カバー部４４の前縁部との合わせ部分は、略直方体形状の被覆ケース部材３１の前面部４２ではなく、その後側の側面部分に形成される。よって、合わせ部分から仮に音が漏れ出たとしても、それが自動車１の前などへダイレクトに出力されてしまうことはない。
そして、図４（Ａ）では、ラビリンス構造により、一定の吸音効果を期待できる。
また、図４（Ｂ）から図４（Ｄ）では、シール構造により、吸音効果および断熱効果を期待できる。
【００３６】
以上のように、本実施形態では、自動車１の前室３に設けられて混合気をエンジン本体１１で燃焼させるパワーユニットを有する自動車１についての、少なくともエンジン本体１１の周囲を、断熱構造の被覆ケース部材３１により、空気層を挟むように間隔をあけて密閉するように囲う。よって、被覆ケース部材３１の内側のエンジン本体１１などからの音が、直接的に自動車１の外へ漏れださないようにできる。また、エンジン本体１１などを保温することができる。
しかも、密閉可能な被覆ケース部材３１に一体的に設けられた上開閉部材３４や下開閉部材３７を開いて、前記被覆ケース部材３１の内外を連通することにより、エンジン本体１１などの熱を外気で冷やすことができる。
また、密閉可能な前記被覆ケース部材３１は、少なくとも、上開閉部材３４および下開閉部材３７が取り付けられる前カバー部４１と、前カバー部４１以外の箱カバー部４４とに分割して構成される。箱カバー部４４は、エンジン本体１１と重ねて、エンジン本体１１と同じ位置で、自動車１の骨格部材または構造部材に取り付けられる。前カバー部４１は、エンジン本体１１の取付部位から離れた別の位置で自動車１の別の骨格部材または構造部材に取り付けられる。このように開閉機構が取り付けられる前カバー部４１を、箱カバー部４４と分離して別に離間した状態に自動車１に取り付けて支持させることにより、エンジン本体１１などの振動が被覆ケース部材３１を通じて直接的に開閉機構へ伝わらないようにできる。開閉可能な上開閉部材３４、下開閉部材３７が振動により音を発することが起き難くなる。
このように本発明では、被覆ケース部材３１に収容されるエンジン本体１１などの音が外へ漏れ出にくくし、しかも、カプセル装置３０自体から音を発しないようにできる。その結果、音が自動車１の外へ漏れ出にくくなる。また、振動が作用し難くなるため、上開閉部材３４、下開閉部材３７の耐久性も改善され得る。
【００３７】
本実施形態では、略直方体形状の被覆ケース部材３１の前面部分である前カバー部４１は、自動車１においてエンジン本体１１の前側に位置する骨格部材または構造部材に取り付けて支持される。また、略直方体形状の被覆ケース部材３１の箱カバー部４４は、前記自動車１において前記エンジン本体１１の下側に位置する骨格部材または構造部材に取り付けて支持される。このように開閉機構が取り付けられる前カバー部４１を、エンジン本体１１や被覆ケース部材３１の箱カバー部４４とは異なる位置で自動車１の骨格部材または構造部材に取り付けることにより、自動車１の骨格部材または構造部材を通じて前カバー部４１、上開閉部材３４、および下開閉部材３７へ振動が伝達することが起き難くなる。開閉可能な開閉機構が振動により音を発することが起き難くなる。
【００３８】
本実施形態では、略直方体形状の被覆ケース部材３１の前面部分に対応する前カバー部４１は、前カバー部４１の周縁に沿って全周に形成されるリブ部４３、を有する。そして、このリブ部４３が、前面が開口した略直方体形状の箱カバー部４４の前縁と近接する。これにより、略直方体形状の被覆ケース部材３１についての前面部分以外の部分に、前カバー部４１と箱カバー部４４との全周の合わせ部分を形成できる。被覆ケース部材３１についての前面部分に合わせ部分が形成される場合、その合わせ部分から出力される音が、自動車１の前面から直接的に外へ出力され易い。このような事態を防止して、自動車１の外への音漏れを抑制できる。
【００３９】
本実施形態では、前カバー部４１と箱カバー部４４とは、互いに離間している。よって、箱カバー部４４を通じてエンジン本体１１の振動などが前カバー部４１に伝わらないようにできる。
しかも、前カバー部４１と箱カバー部４４との合わせ部分には、相対的な動きを許容するように隙間を塞ぐシール構造、吸音構造、または断熱構造が設けられる。よって、前カバー部４１と箱カバー部４４との合わせ部分に隙間が形成されているにもかかわらず、被覆ケース部材３１としての密閉性能、吸音性能、断熱性能を確保することができる。
【００４０】
たとえば前カバー部４１に対して箱カバー部４４が振動している場合でも、変動する隙間を塞ぐことができる。
【００４１】
しかも、隙間が変動しても互いに接触し難いラビリンス構造とすることにより、端末部分の接触音などが発生し難い。
しかも、ラビリンス構造により、隙間を通じた音や熱の放出は抑制され得る。吸音性能および断熱性能を得ることができる。
【００４２】
本実施形態では、被覆ケース部材３１は、自動車１の骨格部材または構造部材より内側に収まるように設けられる。これにより、自動車１の車体２の最低地上高などのスペックに大きな影響を与えることなく、自動車１に被覆ケース部材３１を設けることができる。
【００４３】
上記実施形態は、本発明の好適な実施形態の例であるが、本発明はこれに限定されるものではなく、発明の要旨を逸脱しない範囲において種々の変形または変更が可能である。
【００４４】
たとえば上記実施形態では自動車１は、エンジン本体１１による内燃機関のみをパワーユニットを有する。
この他にも自動車１には、内燃機関とともにモータ駆動による電気駆動装置を有するハイブリッド自動車や、電気駆動装置のみを有する電気自動車がある。
図５は、図２のパワーユニットおよびカプセル装置３０の変形例の説明図である。
図５には、トランスミッション１２に電気モータ６１が取り付けられている。電気モータ６１には、図示外のコンバータを通じて複数の電池セルが接続される。電気モータ６１を駆動することにより、トランスミッション１２を通じで駆動力をプロペラシャフト１３に伝達させることができる。
このようなパワーユニットの構成である場合、カプセル装置３０の被覆ケース部材３１は、エンジン本体１１、エンジン補器、トランスミッション１２とともに、ハイブリッド機器としての電気モータ６１やコンバータを囲うように設けられてよい。この場合、電気モータ６１やコンバータを、摩擦抵抗などが運転に適した状態になるように暖めることが可能である。また、被覆ケース部材３１の内を二室に分けて、一方にエンジン本体１１などを収め、他方にハイブリッド機器を収めるようにしてもよい。この場合、部屋ごとに個別の温度に保温させることも可能になる。
【符号の説明】
【００４５】
１…自動車（車両）、２…車体、３…前室、４…乗員室、５…フロントビーム、６…トーボード、１１…エンジン本体、１２…トランスミッション、１３…プロペラシャフト、１４…リアディファレンシャルギアボックス、１５…車輪、１６…エアクリーナ、１７…吸気管、１８…排気管、１９…オイルパン、２０…ラジエタ、２１…ターボ機器、２２…触媒機器、２５…ラジエタフレーム、２８…フロントグリル、２９…開口部、３０…カプセル装置、３１…被覆ケース部材、３２…上開閉機構、３３…上開口部、３４…上開閉部材、３５…下開閉機構、３６…下開口部、３７…下開閉部材、３９…制御部、４１…前カバー部、４２…前面部、４３…リブ部、４４…箱カバー部、５１…弾性部材、５２…可撓材、５３…シール部材、６１…電気モータ
【図１】
2019064342.tif 000003
【図２】
2019064342.tif 000004
【図３】
2019064342.tif 000005
【図４】
2019064342.tif 000006
【図５】
2019064342.tif 000007